(57)【要約】      （修正有）【課題】カバープレートを常時所定間隔で支持して、目地プレートの移動によりカバープレートの支持位置が異なっても、カバープレートが撓んだりすることのない安全な床用目地装置を提供する。【解決手段】一方の躯体の床面３に目地部２側が開口するように形成された目地プレートスライド支持凹部６と、左右方向にスライド移動する目地プレート１４と、カバープレート１６とからなる床用目地装置１において、板状の目地プレート本体１３と、目地プレートスライド支持凹部６内へ入り込む部位の底面に、左右方向の隙間が生じるように取り付けられた少なくとも３個以上の枠状のフレーム１１とで構成し、目地プレートスライド支持凹部６で、所定間隔で取付けられた目地プレート本体１３をスライド移動可能に支持するとともに、前記カバープレート１６が撓んだりするのを防止できるように支持する複数個の支持具１５とで床用目地装置１を構成している。【選択図】図２
2014025198.tif 000002
【特許請求の範囲】
【請求項１】
目地部を介して設けられた左右の躯体の少なくとも一方の躯体の床面に目地部側が開口するように形成された目地プレートスライド支持凹部と、この目地プレートスライド支持凹部を左右方向にスライド移動する先端部が、該外目地プレートスライド支持凹部の中央部に位置する前記目地部を覆う目地プレートと、この目地プレートがスライド移動できるように前記目地プレートスライド支持凹部を覆うカバープレートとからなる床用目地装置において、前記目地プレートを板状の目地プレート本体と、この目地プレート本体の前記目地プレートスライド支持凹部内へ入り込む部位の底面に左右方向の隙間が生じるように前後方向に並列するように取り付けられた少なくとも３個以上の枠状のフレームとで構成し、前記目地プレートスライド支持凹部で前記フレーム間の隙間に位置する部位に所定間隔で取付けられた、前記目地プレートの目地プレート本体をスライド移動可能に支持するとともに、前記カバープレートが撓んだりするのを防止できるように支持する複数個の支持具とを用いたことを特徴とする床用目地装置。
【請求項２】
フレームの先端部の底面には目地プレートスライド支持凹部をスムーズに移動するローラーが設けられていること特徴とする請求項１記載の床用目地装置。
【請求項３】
支持具は直角あるいは直角よりもわずかに小さい角度となるＬ字状のアームと、このアームのコーナー部を枢支し、目地プレートスライド支持凹部に固定する取付具と、前記アームの短辺側の先端部にカバープレートを支持することができ、かつ長辺側の先端部とで目地プレートの目地プレート本体を支持することができるように取付けられたローラーとで構成されていることを特徴とする請求項１記載の床用目地装置。
【請求項４】
目地プレートスライド支持凹部は左右の躯体に形成されるとともに、目地プレートは目地プレートの中央部を常時目地部の中央部に位置させることができる両端部が左右の躯体に取付けられた中央維持装置に取付けられていることを特徴とする請求項１記載の床用目地装置。
【発明の詳細な説明】
【技術分野】
【０００１】
本発明は目地部を介して設けられた左右の建物の床躯体や、道路や通路となる左右の床躯体間の床用目地部を覆う床用目地装置に関する。
【背景技術】
【０００２】
従来、この種の床用目地装置は、目地部を介して建てられた左右の建物の目地部側の床面に、該目地部に開口するように形成された一対の凹部と、この一対の凹部のほぼ中央部に両端部が位置して前記目地部を覆う、該一対の凹部内をスライド移動可能な目地プレートと、この目地プレートの両端部の前記一対の凹部に位置している部位を覆うように前記左右の建物の躯体に固定された一対のカバープレートと、この一対のカバープレート内の凹部に、該一対のカバープレートに加わる荷重を支持することができる支持体に所定間隔で支持された、前記凹部に支持される複数対の下部支持ローラー、前記支持体に所定間隔で支持される前記一対のカバープレートを支持する複数個の上部支持ローラーとからなる一対のカバープレート荷重支持具と、この一対のカバープレート荷重支持具を前記一対のカバープレート内の凹部のほぼ中央部に常時位置させる一対の中央維持具とで構成されていた。
【０００３】
このように構成された床用目地装置は、カバープレート荷重支持具をカバープレート内の凹部のほぼ中央部に常時位置させる中央維持具を、地震で目地部が狭くなったり、広くなったりする揺れ動きに正確に追従移動させることが難しいとともに、カバープレート内に入り込んだゴミによって、移動不能になったりするという欠点がある。
【０００４】
また、カバープレート内の凹部が大きくなると、カバープレート荷重支持具の間隔が大きくなり、カバープレートの上部に加わる荷重によってカバープレートが撓んでしまうという欠点があった。
【先行技術文献】
【特許文献】
【０００５】
【特許文献１】特許第３４４５２０８号公報
【発明の概要】
【発明が解決しようとする課題】
【０００６】
本発明は以上のような従来の欠点に鑑み、目地プレートがスムーズに目地プレートスライド支持凹部をスライド移動することができるとともに、カバープレートを常時所定間隔で支持して、目地プレートの移動によって、カバープレートの支持位置が異なって、カバープレートが加わる荷重によって撓んだりするのを効率よく阻止して、安全に使用することができる床用目地装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明は目地部を介して設けられた左右の躯体の少なくとも一方の躯体の床面に目地部側が開口するように形成された目地プレートスライド支持凹部と、この目地プレートスライド支持凹部を左右方向にスライド移動する先端部が、該外目地プレートスライド支持凹部の中央部に位置する前記目地部を覆う目地プレートと、この目地プレートがスライド移動できるように前記目地プレートスライド支持凹部を覆うカバープレートとからなる床用目地装置において、前記目地プレートを板状の目地プレート本体と、この目地プレート本体の前記目地プレートスライド支持凹部内へ入り込む部位の底面に左右方向の隙間が生じるように前後方向に並列するように取り付けられた少なくとも３個以上の枠状のフレームとで構成し、前記目地プレートスライド支持凹部で前記フレーム間の隙間に位置する部位に所定間隔で取付けられた、前記目地プレートの目地プレート本体をスライド移動可能に支持するとともに、前記カバープレートが撓んだりするのを防止できるように支持する複数個の支持具とで床用目地装置を構成している。
【発明の効果】
【０００９】
以上の説明から明らかなように、本発明にあっては次に列挙する効果が得られる。
（１）請求項１により、カバープレートが撓んだりするのを防止する複数個の支持具を目地プレートスライド支持凹部に取付けているので、目地プレートが地震でスライド移動しても、カバープレートを所定位置で支持することができる。
したがって、従来のように目地プレートが移動するとカバープレートの支持位置が異なるものと比べ、確実に撓んだりするのを防止できるようにカバープレートを支持することができる。
（２）前記（１）によって、カバープレートを支持する複数個の支持具が目地プレートスライド支持凹部に取付けられているので、従来の目地プレートの移動に応じて生ずる部位の凹部の中間に位置させるものと比べ、構造が簡単で、楽に設置することができる。
（３）前記（１）によって、枠状のフレーム間の隙間に位置するように、複数個の支持具を目地プレートスライド支持凹部に取付けているので、目地プレートの左右方向のスライド移動をスムーズに行なうことができる。
（４）前記（１）により、地震で目地プレートが移動し、カバープレートに荷重が加わっても複数個の支持具で支持するので、撓んだりするのを効率よく阻止でき、安全に使用することができる。
（５）請求項２も前記（１）〜（４）と同様な効果が得られるとともに、目地プレートを地震時にスムーズに移動させることができる。
（６）請求項３も前記（１）〜（４）と同様な効果が得られるとともに、目地プレートの左右方向のスライド移動をスムーズにでき、かつカバープレートを確実に所定間隔で支持することができる。
（７）請求項４も前記（１）〜（４）と同様な効果が得られるとともに、左右の躯体に目地プレートスライド支持凹部が形成される部位にも設置することができる。
【図面の簡単な説明】
【００１０】
【図１】本発明を実施するための第１の形態の平面図。
【図２】図１の２−２線に沿う断面図。
【図３】本発明を実施するための第１の形態のカバープレートを外した状態の平面図。
【図４】本発明を実施するための第１の形態の目地プレートの正面図。
【図５】本発明を実施するための第１の形態の目地プレートの底面図。
【図６】本発明を実施するための第１の形態の支持具の説明図。
【図７】本発明を実施するための第１の形態の目地部が広くなった動作説明図。
【図８】本発明を実施するための第１の形態の目地部が狭くなった動作説明図。
【図９】本発明を実施するための第２の形態の平面図。
【図１０】図９の１０−１０線に沿う断面図。
【図１１】本発明を実施するための第２の形態の支持具の説明図。
【図１２】本発明を実施するための第３の形態の平面図。
【図１３】図１２の１３−１３線に沿う断面図。
【図１４】本発明を実施するための第３の形態の支持具の説明図。
【図１５】本発明を実施するための第４の形態の平面図。
【図１６】図１５の１６−１６線に沿う断面図。
【図１７】本発明を実施するための第４の形態の中央維持装置の説明図。
【図１８】本発明を実施するための第５の形態の平面図。
【図１９】図１８の１９−１９線に沿う断面図。
【図２０】本発明を実施するための第５の形態の支持具の説明図。
【図２１】本発明を実施するための第５の形態の支持具の異なる説明図。
【図２２】本発明を実施するための第6の形態の平面図。
【図２３】図２２の２３−２３線に沿う断面図。
【図２４】本発明を実施するための第６の形態の支持具の説明図。
【図２５】本発明を実施するための第６の形態の前後方向の動作説明図。
【発明を実施するための形態】
【００１１】
以下、図面に示す本発明を実施するための形態により、本発明を詳細に説明する。
【００１２】
図１ないし図８に示す本発明を実施するための第１の形態において、１は目地部２を介して設けられた左右の道路や通路の床躯体３、３間を覆う本発明の床用目地装置で、この床用目地装置１は前記左右の床躯体３、３の、一方の目地部側の床躯体３の床面に目地部側が開口するように形成された目地プレートスライド支持凹部４と、この目地プレートスライド支持凹部４を必要に応じて覆うように設ける目地プレートスライド支持凹部４を形成した金属材製の目地プレートスライド下地材５と、前記目地プレートスライド支持凹部４と対応する他方の目地部側の床躯体３に形成された目地プレート支持凹部６と、この目地プレート支持凹部６を必要に応じて覆うように設ける目地プレート支持凹部６を形成した金属材製の目地プレート下地材７と、後端部が前記目地プレート支持凹部６あるいは目地プレート下地材７に固定された係合ピン８、８と係合する係合バー９、この係合バー９に後端部が隙間１０、１０を有するように前後方向に並列状態で固定された先端部が目地プレートスライド支持凹部４の中央部に位置する格子枠状のフレーム１１、１１、１１、このフレーム１１、１１、１１の先端部の底面に取付けられた前記目地プレートスライド支持凹部４あるいは目地プレートスライド下地材５上をスムーズに移動するローラー１２、１２、１２、１２、１２、１２、前記フレーム１１、１１、１１の上面を覆うように固定された金属材製の目地プレート本体１３とからなる目地プレート１４と、この目地プレート１４のフレーム１１、１１、１１間の隙間１０、１０に位置するように前記目地プレートスライド支持凹部４あるいは目地プレートスライド下地材５に所定間隔で取付けられた複数個の支持具１５と、前記目地プレートスライド支持凹部４あるいは目地プレートスライド下地材５を覆い、かつ前記目地プレート１４のスライド移動か可能で、前記複数個の支持具１５によって撓まないように支持されるカバープレート１６とで構成されている。
【００１３】
前記複数個の支持具１５は直角に形成されたＬ字状のアーム１７と、このアーム１７のコーナー部分に形成した枢支ピン挿入孔１８に枢支ピン１９が挿入されて回動可能に取付けられ、かつ前記目地プレートスライド支持凹部４あるいは目地プレートスライド下地材５に複数本のタッピングビス２０で固定される取付具２１と、前記アーム１７の短辺側１７ａの先端部に回転可能に取付けられた前記カバープレート１６および目地プレート１４の目地プレート本体１３を支持することができるローラー２２と、前記アーム１７の長辺側１７ｂに設けられた、該アーム１７の短辺側１７ａを上方へ突出するように前記枢支ピン１９を支点として回動させる重り２３とからなり、目地プレート１４の目地プレート本体１３は前記ローラー２２と長辺側１７ｂの端部とが当接して、該目地プレート１４に加わる荷重を支持できるようになっている。
【００１４】
また、直角に形成されたアーム１７は取付具２１によってコーナー部分がわずかに上方に位置するため、重り２３が目地プレートスライド支持凹部４あるいは目地プレートスライド下地材５と当接した状態ではアーム１７の短辺側１７ａが回転方向に対して直角方向よりも反回転側に位置するため、カバープレート１６に荷重が加わってもアーム１７が回転することなく、確実にその荷重を、ローラー２２を介してアーム１７の短辺側１７ａで受けることができる。
【００１５】
上記構成の床用目地装置１は、通常時は図２に示すように左右の床躯体３、３の床面３ａ、３ａと目地部２はほぼ同一面となるように目地プレート１４とカバープレート１６で覆われた状態になっている。
【００１６】
このため、カバープレート１６や目地プレート１４上を人が歩いたり、台車や車が走行すると、カバープレート１６や目地プレート１４に荷重が加わるが、複数個の支持具１５のアーム１７のローラー２２が取付けられた短辺側１７ａでカバープレート１６が撓むのを防止するように支持されているとともに、目地プレート１４の目地プレート本体１３は複数個の支持具１５のアーム１７のローラー２２が取付けられた短辺側１７ａと長辺側１７ｂの端部とが接触しているため、ほぼＶ字状となって支持して撓むのを防止した状態となっているため、安全に歩いたり、走行することができる。
【００１７】
地震で目地部２が広くなるように左右の床躯体３、３が揺れ動いた場合、図７に示すように目地プレート１４の先端部が目地プレートスライド支持凹部４あるいは目地プレートスライド下地材５上をスライド移動し、該目地プレートスライド支持凹部４あるいは目地プレートスライド下地材５の凹部が大きくなるが、所定間隔でカバープレート１６を支持する複数個の支持具１５によって、カバープレート１６に荷重が加わっても撓むことなく、安全に使用できる。
【００１８】
地震で目地部２が狭くなるように左右の床躯体３、３が揺れ動いた場合、図８に示すように目地プレート１４の先端部が目地プレートスライド支持凹部４あるいは目地プレートスライド下地材５上をスライド移動し、該目地プレートスライド支持凹部４あるいは目地プレートスライド下地材５の凹部が小さくなるが、この時、カバープレート１６を支持していた支持具１５は目地プレート１４の目地プレート本体１３によって回動方向に押され、ほぼＶ字状となって目地プレート本体１３を支持する状態となって、安全に使用できる。
なお、地震の揺れ動きが停止すると、目地プレート１４は自動的に元の位置へ戻る。    
【００１９】
[発明を実施するための異なる形態]
次に、図９ないし図２１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２０】
図９ないし図１１に示す本発明を実施するための第２の形態において、前記本発明を実施するための第１の形態と主に異なる点は、長辺側１７ｂに対して短辺側１７ａが９０度よりもわずかに小さい、例えば８０度〜８８度に設定したＬ字状のアーム１７Ａを用いた複数個の支持具１５Ａを用いるとともに、フレーム１１、１１、１１の先端部に目地プレートスライド支持凹部４あるいは目地プレートスライド下地材５上を容易にスライド移動できるほぼ半球状の突片２４、２４、２４、２４、２４、２４を設けた目地プレート１４Ａを用いた点で、このように形成した複数個の支持具１５Ａや目地プレート１４Ａを用いて構成した床用目地装置１Ａにしても、前記本発明を実施するための第１の形態と同様な作用効果が得られる。
【００２１】
図１２ないし図１４に示す本発明を実施するための第３の形態において、前記本発明を実施するための第１の形態と主に異なる点は、所定間隔で枢支ピン１９を用いてアーム１７を複数個取付けることができる取付具２１Ａを用いるとともに、目地プレートスライド支持凹部４に複数本のタッピングビス２０で固定することができる複数個の支持具１５Ｂを用いた点で、このような複数個の支持具１５Ｂを用いて構成した床用目地装置１Ｂにしても、前記本発明を実施するための第１の形態と同様な作用効果が得られる。
【００２２】
図１５ないし図１７に示す本発明を実施するための第４の形態において、前記本発明を実施するための第１の形態と主に異なる点は、左右の床躯体３、３の目地部側にそれぞれ目地プレートスライド支持凹部４、４を形成し、該目地プレートスライド支持凹部４、４の中央部に位置する目地プレート１４Ｂを配置するとともに、該目地プレート１４Ｂの中央部を目地部２の中央部に常時位置させることができる両端部が目地部側の前記左右の床躯体３、３に取付けられた四角リンク部材２５、２５を用いた中央維持装置２６、２６を用いた点で、このように構成した床用目地装置１Ｃにしても、前記本発明を実施するための第１の形態と同様な作用効果が得られる。
【００２３】
２７、２７は目地プレート１４Ｂの中央部に一端部が固定され、他端部が四角リンク部材２５、２５の対応するリンク２５ａ、２５ａ、２５ａ、２５ａの中央部に枢支ピン２８、２８、２８、２８で枢支された中央リンク２９、２９の中央部に枢支された中央枢支ピンである。
【００２４】
目地プレート１４Ｂの中央維持装置２６、２６は四角リンク部材２５、２５を用いるもの以外に、パンタグラフ形状のものを用いてもよい。
【００２５】
図１８ないし図２１に示す本発明を実施するための第５の形態において、前記本発明を実施するための第１の形態と主に異なる点は、磁石が吸着される材料の目地プレートスライド下地材５Ａを用いるとともに、アーム１７の重り２３が取り付けられている部分に、該目地プレートスライド下地材５Ａに吸着する磁石３０を設置した複数個の支持具１５Ｃを用いた点で、このように構成された床用目地装置１Ｄは、前記本発明を実施するための第１の形態と同様な作用効果が得られるとともに、確実に複数個の支持具１５Ｃのアーム１７を元の位置に位置させることができ、カバープレート１６を複数個の支持具１５Ｃで支持することができる。
【００２６】
なお、目地プレートスライド下地材５にアーム１７の磁石３０と吸着する磁石を用いたり、磁石を目地プレートスライド支持凹部４に設けることにより、目地プレートスライド下地材を用いなくてもよい。
【００２７】
さらに、複数個の支持具１５Ｃのアーム１７を元に位置へ確実に位置させるために、アーム１７と取付具２１、２１Ａとを取付ける枢支ピン１９部位に、図２１に示すようにコイルスプリング３１を介装して、常時アーム１７の長辺側１７ｂを目地プレートスライド支持凹部４あるいは目地プレートスライド下地材５へ当接するよう付勢するようにしてもよい。
【００２８】
図２２ないし図２５に示す本発明を実施するための第６の形態において、前記本発明を実施するための第３の形態と主に異なる点は、目地プレート本体１３の後端部寄りの底面に枢支ピン３２で枢支した格子状のフレーム１１Aを所定間隔で取付けた目地プレート１４Cを用いるとともに、所定間隔で複数個の支持具１５Ｄが取り付けられたコ字レール状の取付具２１Ｂの一端部を枢支ピン３２で目地プレートスライド下地材５に枢支させた点で、このように構成した床用目地装置１Ｅにしても前記本発明を実施するための第３の形態と同様な作用効果が得られるとともに、地震で左右の床躯体３、３が前後方向に揺れ動いても目地プレート１４Cの格子状のフレーム１１Aやコ字レール状の取付具２１Ｂが枢支ピン３２、３２を支点に回動してその揺れ動きを吸収することができる。
【００２９】
なお、前記本発明を実施するための各形態では格子状のフレーム１１、１１、１１を用いて構成した目地プレート１４、１４Ａ、１４Ｂを用いたが、本発明はこれに限らず、板状の目地プレート本体１３が固定されるため、枠状のフレームを用いた目地プレートを用いてもよい。
【００３０】
また、目地プレート１４の後端部の底面に係合バーを突出させ、該係合バーが前後方向に移動できるように複数個のローラーを介した支持金具を目地プレート支持凹部に取付けてもよい。
【００３１】
さらに、本願発明は左右の建物の床躯体間に設置したり、建物の床躯体と通路や道路の床躯体間に設置しても同様な作用効果が得られる。
【産業上の利用可能性】
【００３２】
本発明は左右の躯体の床躯体間を覆う床用目地装置を製造する産業で利用される。
【符号の説明】
【００３３】
１、１Ａ、１Ｂ、１Ｃ、１Ｄ、１Ｅ：床用目地装置、
２：目地部、        ３：床躯体、
４：目地プレートスライド支持凹部、
５：目地プレートスライド下地材、  
６：目地プレート支持部材、  ７：目地プレート下地材、
８：係合ピン、      ９：係合バー、
１０：隙間、        １１、１１Ａ：フレーム、
１２：ローラー、      １３：目地プレート本体、
１４、１４Ａ、１４Ｂ、１４Ｃ：目地プレート、
１５、１５Ａ、１５Ｂ、１５Ｃ、１５Ｄ：支持具、
１６：カバープレート、    １７、１７Ａ：アーム、
１８：枢支ピン挿入孔、    １９：枢支ピン、
２０：タッピングビス、    ２１、２１Ａ、２１Ｂ：取付具、
２２：ローラー、      ２３：重り、
２４：突片、        ２５：四角リンク部材、
２６：中央維持装置、    ２７、２７Ａ：中央枢支ピン、
２８：枢支ピン、      ２９：中央リンク、
３０：磁石、        ３１：コイルスプリング、
３２：枢支ピン。
【図１】
2014025198.tif 000003
【図２】
2014025198.tif 000004
【図３】
2014025198.tif 000005
【図４】
2014025198.tif 000006
【図５】
2014025198.tif 000007
【図６】
2014025198.tif 000008
【図７】
2014025198.tif 000009
【図８】
2014025198.tif 000010
【図９】
2014025198.tif 000011
【図１０】
2014025198.tif 000012
【図１１】
2014025198.tif 000013
【図１２】
2014025198.tif 000014
【図１３】
2014025198.tif 000015
【図１４】
2014025198.tif 000016
【図１５】
2014025198.tif 000017
【図１６】
2014025198.tif 000018
【図１７】
2014025198.tif 000019
【図１８】
2014025198.tif 000020
【図１９】
2014025198.tif 000021
【図２０】
2014025198.tif 000022
【図２１】
2014025198.tif 000023
【図２２】
2014025198.tif 000024
【図２３】
2014025198.tif 000025
【図２４】
2014025198.tif 000026
【図２５】
2014025198.tif 000027